【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
ワイヤレス通信のために構成された装置であって、
第２の装置によって送信された少なくとも１つのデータユニットを受信するように構成された受信機と、
前記少なくとも１つのデータユニットが前記少なくとも１つのデータユニットの前記送信の間に干渉を受けたかどうかを示す、少なくとも１つのインジケーションを生成するように構成された処理システム、前記少なくとも１つのインジケーションは、前記少なくとも１つのデータユニットが干渉を受けたかどうかを示す前記少なくとも１つのデータユニットに対応するビットマップインジケータを備える、と、
前記少なくとも１つのインジケーションを前記第２の装置に送信するように構成された送信機と
を備え、
前記少なくとも１つのデータユニットを前記受信することは、複数のデータユニットを受信することを備え、
前記少なくとも１つのインジケーションを前記生成することは、前記データユニットのうちいくつが成功裏に受信されなかったかに関する情報を累積することを備え、
前記送信することは、前記データユニットのうちいくつが成功裏に受信されなかったかを示す前記情報を送信するようにさらに構成される、
装置。
【請求項２】
前記送信機は、機能情報を前記第２の装置に送信するようにさらに構成され、
前記機能情報は、前記装置が、データユニットが干渉を受けるかどうかのインジケーションを送ることをサポートすることを示し、好ましくは、
前記機能情報は、前記インジケーションが前記装置から前記第２の装置に送られたメッセージ内のどこに位置するようになるかをさらに示す、または
前記機能情報は、前記インジケーションが他の情報の代わりになることをさらに示し、それは、そうでなければ、前記装置から前記第２の装置へのメッセージ内で送られることになる、
請求項１に記載の装置。
【請求項３】
請求項１または２のうちのいずれか１項に記載の装置を備える、
局。
【請求項４】
ワイヤレス通信の方法であって、
第２の装置によって送信された少なくとも１つのデータユニットを第１の装置において受信することと、
前記少なくとも１つのデータユニットが前記少なくとも１つのデータユニットの前記送信の間に干渉を受けたかどうかを示す、少なくとも１つのインジケーションを生成すること、前記少なくとも１つのインジケーションは、前記少なくとも１つのデータユニットが干渉を受けたかどうかを示す前記少なくとも１つのデータユニットに対応するビットマップインジケータを備える、と、
前記少なくとも１つのインジケーションを前記第１の装置から前記第２の装置に送信することと
を備え、
前記少なくとも１つのデータユニットを前記受信することは、複数のデータユニットを受信することを備え、
前記少なくとも１つのインジケーションを前記生成することは、前記データユニットのうちいくつが成功裏に受信されなかったかに関する情報を累積することを備え、
前記送信することは、前記データユニットのうちいくつが成功裏に受信されなかったかを示す前記情報を送信することをさらに備える、
方法。
【請求項５】
前記少なくとも１つのインジケーションを前記生成することは、前記データユニットのうちいくつが干渉を受けたかに関する情報を累積することと、前記累積された情報に基づいてメトリックを生成することとを備える、
請求項４に記載の方法。
【請求項６】
前記方法は、前記第１の装置によって成功裏に受信されなかった前記データユニットのうちのいずれかを識別することをさらに備え、
前記少なくとも１つのインジケーションは、成功裏に受信されなかった前記データユニットの各々に関して、前記データユニットが干渉を受けたかどうかを示す、請求項４に記載の方法。
【請求項７】
前記少なくとも１つのデータユニットは、複数のシンボルを備え、
前記少なくとも１つのインジケーションは、干渉を受けた前記シンボルのうちの少なくとも１つを示す、または前記少なくとも１つのインジケーションは、干渉を受けた前記シンボルの量を識別する、
請求項４に記載の方法。
【請求項８】
ワイヤレス通信のために構成された装置であって、
複数のデータユニットを第２の装置に送信するように構成された送信機と、
前記第２の装置によって送信された少なくとも１つのインジケーションを受信するように構成された受信機、ここにおいて、前記少なくとも１つのインジケーションは、前記複数のデータユニットが前記複数のデータユニットの前記送信の間に干渉を受けたかどうかを示す少なくとも１つのデータユニットに対応するビットマップインジケータを備える、と、
前記少なくとも１つのインジケーションに基づいて、少なくとも１つの他のデータユニットを前記装置から前記第２の装置に送信するための少なくとも１つの送信パラメータを決定するように構成された処理システムと
を備え、
前記受信機は、前記データユニットのうちいくつが前記第２の装置によって成功裏に受信されなかったかを示す情報を受信するようにさらに構成され、
前記処理システムは、前記少なくとも１つのインジケーションおよび前記受信された情報に基づいて、干渉により成功裏に受信されなかった前記データユニットの第１の量と、チャネル状態により成功裏に受信されなかった前記データユニットの第２の量とを決定するようにさらに構成され、
前記少なくとも１つの送信パラメータを前記決定することは、前記第１の量と前記第２の量とに基づく、
装置。
【請求項９】
前記複数のデータユニットは、複数のシンボルを備え、
前記少なくとも１つのインジケーションは、干渉を受けた前記シンボルのうちの少なくとも１つを示す、または前記少なくとも１つのインジケーションは、干渉を受けた前記シンボルの量を識別する、
請求項８に記載の装置。
【請求項１０】
前記少なくとも１つの送信パラメータを前記決定することは、変調およびコーディング方式を適応するかどうかを決定することを備える、請求項８に記載の装置。
【請求項１１】
請求項８乃至１０のうちのいずれか１項に記載の装置を備える、
アクセスポイント。
【請求項１２】
ワイヤレス通信の方法であって、
複数のデータユニットを第１の装置から第２の装置に送信することと、
前記第２の装置によって送信された少なくとも１つのインジケーションを前記第１の装置において受信することと、ここにおいて、前記少なくとも１つのインジケーションは、前記複数のデータユニットが前記複数のデータユニットの前記送信の間に干渉を受けたかどうかを示す少なくとも１つのデータユニットに対応するビットマップインジケータを備える、
前記少なくとも１つのインジケーションに基づいて、少なくとも１つの他のデータユニットを前記第１の装置から前記第２の装置に送信するための少なくとも１つの送信パラメータを決定することと
を備え、
前記方法は、前記データユニットのうちいくつが前記第２の装置によって成功裏に受信されなかったかを示す情報を受信することをさらに備え、
前記方法は、前記少なくとも１つのインジケーションおよび前記受信された情報に基づいて、干渉により成功裏に受信されなかった前記データユニットの第１の量と、チャネル状態により成功裏に受信されなかった前記データユニットの第２の量とを決定することをさらに備え、
前記少なくとも１つの送信パラメータを前記決定することは、前記第１の量と前記第２の量とに基づく、
方法。
【請求項１３】
前記少なくとも１つのインジケーションは、干渉を受けた前記データユニットの各々を識別する、
請求項４または１２に記載の方法。
【請求項１４】
前記少なくとも１つのインジケーションは、前記データユニットのうちいくつが干渉を受けたかを示す、累積された情報を備える、および／または
前記データユニットは、パケット内に含まれ、
前記少なくとも１つのインジケーションは、前記パケットの前記データユニットのうちの１つまたは複数が干渉を受けたことを示す、
請求項１２に記載の方法。
【請求項１５】
前記少なくとも１つのインジケーションは、前記第２の装置によって成功裏に受信されなかった前記データユニットの各々に関して、前記データユニットが干渉を受けたかどうかを示す、
請求項１２に記載の方法。